(57)【要約】      （修正有）【課題】多様なクレーン状態を、物理的計測に関係付けられる基準点又はブームやタワーの様な細長いクレーン構成要素の長さに沿って取られるキャプチャー画像に基づいて判定するためのシステムを提供する。【解決手段】クレーンは、１つ又はそれ以上の地面係合要素を有する下部構造と、下部構造へ接続され、ブームを有する上部構造と、クレーン状態を判定するためのシステム１１０と、を含んでいる。システム１１０は、ブーム又は下部構造の長さの少なくとも一部分に沿って視線を有するように配置されたセンサ組立体１１４を含んでいる。センサ組立体１１４は、光伝達を検出してセンサ情報を出力するように構成されている。システム１１０は、更に、センサ情報を受信してセンサ情報に基づいて前記クレーン状態を判定するように構成されたコンピュータ１１２を含んでいる。クレーン状態を判定する方法も提供されている。【選択図】図２４
2020097487.tif 000002
【特許請求の範囲】
【請求項１】
１つ又はそれ以上の地面係合要素を有する下部構造と、
該下部構造へ接続され、ブームを有する上部構造と、
クレーン状態を判定するためのシステムであって、
該下部構造の長さ又は該ブームの少なくとも一部分に沿って視線を有するように配置され、光伝達を検出してセンサ情報を出力するように構成されたセンサ組立体、及び、
該センサ情報を受信し、該センサ情報に基づいて該クレーン状態を判定するように構成されたコンピュータ、を備え、
判定される該クレーン状態は、垂直方向ブーム撓み、横方向ブーム撓み、ブーム長さ、ブーム区分長さ、ブーム区分の数、ブーム区分の型式、ブーム先端位置、ブームアタッチメント設置状況及び位置、ブームアタッチメント長さ、ブームアタッチメントオフセット、アンチ・ツー・ブロック（ＡＴＢ）構成要素状態、クレーンのＡＴＢ状態、リービング構成、最適リービング構成、保持ピン設置状態、シーブ回転、ブームピックポイント、可撓性部材状況、ペンダントロープ長さ、クレーン構成要素の正しい位置決め、吊綱の数、可撓性部材の数、所望又は期待される構築との構築差、トロリー位置、タワークレーンマスト捩じれ、ブーム捩じれ、揺れ、随行ブーム監視、ジブ索具モード、及び可撓性部材速度のうちの少なくとも１つを含む、システムと、
を備えているクレーン。
【請求項２】
該センサ組立体は、１つのレーザービームを発するように構成された送信器と、該レーザービームを検出するように構成された光センサのアレイを有する受信器と、を備えている、請求項１に記載のクレーン。
【請求項３】
該センサ情報は、該光センサのアレイの光センサによる該レーザービームの検出に関する情報を含む、請求項２に記載のクレーン。
【請求項４】
該センサ情報は、該レーザービームを検出している該光センサに関する情報を含む、請求項３に記載のクレーン。
【請求項５】
該コンピュータは、該受信器上の該レーザービームの位置を判定する、請求項４に記載のクレーン。
【請求項６】
該判定されるクレーン状態は、該横方向ブーム撓みと該垂直方向ブーム撓みの少なくとも一方である、請求項２に記載のクレーン。
【請求項７】
該送信器は、垂直平面内に複数のレーザービームを発する、請求項２に記載のクレーン。
【請求項８】
該送信器は、該レーザービームを垂直平面又は水平平面内で１つ又はそれ以上のビームへ回折するように構成された回折デバイス、を更に備えている、請求項２に記載のクレーン。
【請求項９】
該送信器は、垂直平面内で或る角度範囲を通して動くように該ブーム上に回転可能に取り付けられている、請求項２に記載のクレーン。
【請求項１０】
該送信器の角度位置はモーターによって変えられることができる、請求項９に記載のクレーン。
【請求項１１】
該モーターは、該コンピュータへ動作可能に接続されていて、該コンピュータによって計算される予測垂直方向撓みに基づいて該送信器の該角度位置を変えるように構成されている、請求項１０に記載のクレーン。
【請求項１２】
該センサ組立体は画像キャプチャーデバイスであり、該コンピュータは、該画像キャプチャーデバイスの視野を表わすキャプチャー画像を、該センサ情報に基づいて生成するように構成されている、請求項１に記載のクレーン。
【請求項１３】
該システムは、該キャプチャー画像内の１つ又はそれ以上の対象を検出するように構成されている、請求項１２に記載のクレーン。
【請求項１４】
該１つ又はそれ以上の検出される対象は、クレーン構成要素、クレーン構成要素上のマーカー、及び水平線のうちの少なくとも１つを含む、請求項１３に記載のクレーン。
【請求項１５】
該クレーン構成要素は、ブーム、ブーム先端、シーブ、可撓性部材、吊上器具、ＡＴＢ構成要素、ブームアタッチメント、マスト、ブーム区分、格子ブームコード、随行ブームドリー、停止ブロック、サポートペンダント、及びトロリーのうちの少なくとも１つを含む、請求項１４に記載のクレーン。
【請求項１６】
該システムは、該キャプチャー画像を分析して該キャプチャー画像内の１つ又はそれ以上のパラメータを求めるように構成されており、該キャプチャー画像内の該１つ又はそれ以上のパラメータは、該検出される対象の、位置、相対位置、位置の変化、基準点からの距離、向き、延在方向、大きさ、形状、寸法、色、及びパターンのうちの少なくとも１つを含む、請求項１２に記載のクレーン。
【請求項１７】
該システムは、該キャプチャー画像内の該１つ又はそれ以上の求められたパラメータを分析して、実際のパラメータ、検出される構成要素の本体、及びクレーン状態のうちの少なくとも１つを判定するように構成されている、請求項１６に記載のクレーン。
【請求項１８】
該システムは、該キャプチャー画像を分析して、実際のパラメータ、検出される構成要素の本体、及びクレーン状態のうちの少なくとも１つを判定するように構成されている、請求項１２に記載のクレーン。
【請求項１９】
該画像キャプチャーデバイスはデジタルカメラである、請求項１２に記載のクレーン。
【請求項２０】
該画像キャプチャーデバイスはＬｉＤＡＲ組立体である、請求項１２に記載のクレーン。
【請求項２１】
該センサ情報は、該視野内の対象の該ＬｉＤＡＲ組立体からの距離に関する情報を含む、請求項２０に記載のクレーン。
【請求項２２】
該センサ組立体は、該ブームの側面上に、該ブームの下面上に、該ブームの上面上に、該ブームの該下面に沿った視野を有する該下部構造上に、又はタワークレーンマスト上に配置されている、請求項１に記載のクレーン。
【請求項２３】
該クレーン状態を判定するための該システムは、１つ又はそれ以上のクレーン構成要素へ動作可能に接続されていて、該１つ又はそれ以上のクレーン構成要素の動作は該判定されたクレーン状態に基づいて制御される、請求項１に記載のクレーン。
【請求項２４】
該クレーン状態を判定するための該システムはディスプレイデバイスを更に備え、該キャプチャー画像は該ディスプレイデバイス上に表示される、請求項１２に記載のクレーン。
【請求項２５】
クレーン状態を判定するための方法であって、
細長いクレーン構成要素の長さに沿って画像をキャプチャーする段階と、
該キャプチャー画像内の１つ又はそれ以上の対象を検出する段階と、
該１つ又はそれ以上の検出された対象を分析して該キャプチャー画像内の１つ又はそれ以上のパラメータを求める段階と、
該キャプチャー画像内の該求められたパラメータに基づいて該キャプチャー画像を分析し、該キャプチャー画像内で求められたパラメータに対応している実際のパラメータと該検出された対象の本体のうちの１つ又はそれ以上を判定する段階と、
該実際のパラメータ又は該検出された対象の該本体に基づいて該クレーン状態を判定する段階と、
を備えている方法。
【発明の詳細な説明】
【技術分野】
【０００１】
[0001]以下の説明は、クレーン状態を判定するためのシステムに関し、具体的には、光学センサ及び／又は電磁センサを使用してクレーン状態を判定するためのシステムに関する。
【背景技術】
【０００２】
[0002]既知のクレーンは、下部構造（lower works）へ動作可能に接続されたブームを含んでいる。例えば、移動式クレーンは移動式キャリアへ接続された伸縮式ブームを含んでおり、クローラークレーンはクローラー式キャリアへ接続された格子ブームを含んでおり、タワークレーンはタワー（マストとも呼ばれる）へ接続された一般的にジブと呼ばれるブームを含んでいるであろう。既知のクレーンは、更に、ブームから垂下されているロープを巻き取ったり巻き戻したりするように構成された１つ又はそれ以上のホイストを含んでいる。ロープは、典型的には、１つ又はそれ以上のシーブ周りに所望のリービングで延びている。ロープの自由端へは、フックブロックの様な吊上器具が固定されている。フックブロックは、クレーンによって吊り上げられる物体に係合するように構成されている。
【０００３】
[0003]既知のクレーンは、様々な運動を遂行することができる。例えば、ブームは、旋回運動（即ち、左振り及び右振り）、吊上運動（即ち、ブーム先端の起こし及びブーム先端の倒し）、ジブ運動（ブーム全体の上げ及びブーム全体の下げ）、及び伸縮運動（即ち、伸縮区分の入れ及び伸縮区分の出し）、又はそれらの組合せ、に適するように構成されているだろう。吊上器具は、ホイストへ接続された１つ又はそれ以上のロープの巻き取り及び巻き戻しに呼応してブームに対し垂直方向に動くように構成されている。タワークレーンの様な一部のクレーンでは、吊上器具は、ブームに沿って動くように構成されており、例えばタワークレーンブーム（ときにジブと呼ばれる）に沿って可動であるトロリーを介して動くように構成されている。
【０００４】
[0004]様々なクレーン構成要素の状況を含め、クレーンの状態を監視するのが望ましい。現在、クレーン構成要素の状況は、近接センサ、ロードセル、ＲＦＩＤセンサ、などを含む複数のセンサから受信される情報を処理することによって監視されることもある。監視され得る状況は、旋回角度、ブーム（タワークレーンのラフィングジブを含む）の吊上角度、ブーム長さ、巻き戻しロープ長さ、吊上器具とブーム（ブーム先端）又はタワークレーントロリーの自由端との間の距離を含む。
【０００５】
[0005]他の既知のシステムは、様々なクレーン構成要素の状況を判定するため及び監視するために光学的対象認識技法を使用している。例えば、米国特許出願公開第２０１７／０２１７７３７号、同第２０１８／０１４１７８７号、同第２０１８／０１４１７８８号、同第２０１８／０１４１７８９号、及び同第２０１８／０１４３０１１号は、対象がキャプチャー画像内に検出され、そして検出された対象の分析に基づいてクレーン構成要素の状況又は状態が判定されるという様々なシステムを開示している。例えば、米国特許出願公開第２０１８／０１４３０１１号では、検出される対象はクレーンキャリア又は上部構造であり、検出された対象の分析に基づいてブームの旋回角度又は吊上角度が求められるようになっている。
【０００６】
[0006]しかしながら、上記システムでは、判定され得るクレーン状態の数及び型式が物理的制約によって、例えばブームのどちらかの端からの視認性又は離れて設置されているベースクレーン又はタワークレーンのベース構造からの視認性によって、制限されることもある。
【０００７】
[0007]ジブシステムの、荷重平面に対して横断方向の変形を検出するためのセンサユニットを有する別の既知のクレーンが、ここに参考文献として援用される米国特許出願公開第２０１８／００４４１４９号（「米国‘１４９号」）に開示されている。しかしながら、米国‘１４９号のセンサユニットは、ジブシステムの変形に影響を及ぼすための調節ユニットをアクティブにするのに、既定位置へのジブシステムの運動を検出している。つまり、米国‘１４９号のセンサユニットは、ジブシステムの変形を、或る変形範囲を通して計測していない。
【先行技術文献】
【特許文献】
【０００８】
【特許文献１】米国特許出願公開第２０１７／０２１７７３７号
【特許文献２】米国特許出願公開第２０１８／０１４１７８７号
【特許文献３】米国特許出願公開第２０１８／０１４１７８８号
【特許文献４】米国特許出願公開第２０１８／０１４１７８９号
【特許文献５】米国特許出願公開第２０１８／０１４３０１１号
【特許文献６】米国特許出願公開第２０１８／００４４１４９号
【発明の概要】
【発明が解決しようとする課題】
【０００９】
[0008]したがって、多様なクレーン状態を、物理的計測に関係付けられる基準点又はブームやタワーの様な細長いクレーン構成要素の長さに沿って取られるキャプチャー画像に基づいて判定するためのシステムを提供するのが望ましい。
【課題を解決するための手段】
【００１０】
[0009]１つの態様によれば、クレーンが、１つ又はそれ以上の地面係合要素を有する下部構造（lower works）と、下部構造へ接続され、ブームを有する上部構造（upper works）と、現場クレーン状態を判定するためのシステムと、を含んでいる。システムは、ブーム又は下部構造の長さの少なくとも一部分に沿って視線を有するように配置されたセンサ組立体を含んでおり、センサ組立体は、電磁放射線例えば光伝達を検出し、同電磁放射線に関係するセンサ情報を出力するように構成されている。システムは、更に、センサ情報を受信し、センサ情報に基づいてクレーン状態を判定するように構成されたコンピュータを含んでいる。判定されるクレーン状態は、垂直方向ブーム撓み、横方向ブーム撓み、ブーム長さ、ブーム区分長さ、ブーム区分の数、ブーム区分の型式、ブームアタッチメント設置状況及び位置、ブームアタッチメント長さ、ブームアタッチメントオフセット、アンチ・ツー・ブロック（ＡＴＢ）構成要素状態、クレーンのＡＴＢ状態、リービング構成、最適リービング構成、保持ピン設置状態、シーブ回転、ブームピックポイント、可撓性部材状況、ペンダントロープ長さ、クレーン構成要素の正しい位置決め、吊綱の数、可撓性部材の数、所望又は期待される構築との構築差、トロリー位置、タワークレーンマスト捩じれ、ブーム捩じれ、揺れ、随行（trailing）ブーム監視、ジブ索具モード、及び可撓性部材速度のうちの少なくとも１つを含む。
【００１１】
[0010]１つの実施形態では、センサ組立体は、レーザービームを発するように構成された送信器と、レーザービームを検出するように構成された光センサのアレイを有する受信器と、を含んでいてもよい。センサ情報は、光センサのアレイの光センサによるレーザービームの検出に関する情報を含んでもよい。センサ情報は、レーザービームを検出している光センサに関する情報を含んでもよい。コンピュータが受信器上のレーザービームの位置を判定するようになっていてもよい。判定されるクレーン状態は、横方向ブーム撓みと垂直方向ブーム撓みの少なくとも一方であってもよい。１つの実施形態では、送信器は、所望に応じて実質的に垂直平面又は水平平面内に複数のレーザービームを発するようになっていてもよい。１つの実施形態では、送信器は、更に、レーザービームを所望に応じて垂直平面又は水平平面内で１つ又はそれ以上のビームへ回折するように構成された１つ又はそれ以上のプリズムの様な回折デバイスを含んでいてもよい。１つの実施形態では、送信器は、所望に応じて垂直平面又は水平平面内で或る角度範囲を通して動くためにブーム上に回転可能に取り付けられていてもよい。１つの実施形態では、送信器の角度位置は、モーターによって変えられることができる。また、１つの実施形態では、回折デバイスの位置が、例えばモーターによって、調節されてもよい。１つの実施形態では、回折デバイスは、回転させられる及び／又は直線的に動かされるようになっていてもよい。
【００１２】
[0011]１つの実施形態では、センサ組立体は画像キャプチャーデバイスであり、コンピュータは、センサ情報に基づいて、画像キャプチャーデバイスの視野を表現するキャプチャー画像を生成するように構成されていてもよい。システムは、キャプチャー画像内の１つ又はそれ以上の対象を検出するように構成されていてもよい。１つ又はそれ以上の検出される対象は、クレーン構成要素、クレーン構成要素上のマーカー、及び水平線のうちの少なくとも１つを含んでもよい。クレーン構成要素は、ブーム、ブーム先端、シーブ、可撓性部材、吊上器具、ＡＴＢ構成要素、ブームアタッチメント、マスト、ブーム区分、格子ブームコード、随行ブームドリー、停止ブロック、サポートペンダント、及びトロリーのうちの少なくとも１つを含んでもよい。
【００１３】
[0012]システムは、キャプチャー画像を分析してキャプチャー画像内の１つ又はそれ以上のパラメータを求めるように構成されていてもよい。キャプチャー画像内の１つ又はそれ以上のパラメータは、検出される対象の、位置、相対位置、位置の変化、基準点からの距離、向き、延在方向、大きさ、形状、寸法、色、及びパターンのうちの少なくとも１つを含んでもよい。システムは、キャプチャー画像内の１つ又はそれ以上の求められたパラメータを分析して、実際のパラメータ、検出された対象の本体、及びクレーン状態のうちの少なくとも１つを判定するように構成されていてもよい。
【００１４】
[0013]１つの実施形態では、システムは、キャプチャー画像を分析して、実際のパラメータ、検出された対象の本体、及びクレーン状態のうちの少なくとも１つを判定するように構成されていてもよい。１つの実施形態では、画像キャプチャーデバイスは、デジタルカメラであってもよい。１つの実施形態では、画像キャプチャーデバイスは、ＬｉＤＡＲ組立体であってもよい。センサ情報は、視野内の対象のＬｉＤＡＲ組立体からの距離に関する情報を含んでもよい。
【００１５】
[0014]１つの実施形態では、センサ組立体は、ブームの側面上に、ブームの下面上に、ブームの上面上に、下部構造上のブーム下面に沿った視野を有する位置に、又はタワークレーンマスト上に配置されることができる。１つの実施形態では、クレーン状態を判定するためのシステムは１つ又はそれ以上のクレーン構成要素へ動作可能に接続されていて、１つ又はそれ以上のクレーン構成要素の動作が判定されたクレーン状態に基づいて制御されるようになっていてもよい。
【００１６】
[0015]１つの実施形態では、クレーン状態を判定するためのシステムは、更に、ディスプレイデバイスを含んでいてもよい。キャプチャー画像はディスプレイデバイス上に表示されてもよい。
【００１７】
[0016]別の態様によれば、現場クレーン状態を判定するための方法が、細長いクレーン構成要素の長さに沿った画像をキャプチャーする段階と、キャプチャー画像内の１つ又はそれ以上の対象を検出する段階と、１つ又はそれ以上の検出された対象を分析してキャプチャー画像内の１つ又はそれ以上のパラメータを求める段階と、キャプチャー画像内の求められたパラメータに基づいてキャプチャー画像を分析して、キャプチャー画像内の求められたパラメータに対応する実際のパラメータと検出された対象の本体のうちの１つ又はそれ以上を判定する段階と、を含んでいる。方法は、更に、求められたパラメータの分析に基づいてクレーン状態を判定する段階を含んでもよい。
【００１８】
[0017]開示の他の目的、特徴、及び利点は、次に続く説明を添付図面と関連付けて考察することから明らかになるものであり、図面中、同様の符号は同様の部分、要素、構成要素、段階、及びプロセスを表す。
【図面の簡単な説明】
【００１９】
【図１】[0018]或る実施形態による、クレーン状態を判定するためのシステムを有するクレーンの斜視図である。
【図２】[0019]或る実施形態による、図１のクレーンのブームへ接続されたセンサ組立体受信器を示している拡大斜視図である。
【図３】[0020]或る実施形態による、図２の受信器の光センサレイアレイの平面図である。
【図４】[0021]或る実施形態による、クレーン上の図２の受信器の斜視図である。
【図５】[0022]或る実施形態による、垂直方向に撓んだブーム及びブーム上に設置されたセンサ組立体の側面図を表現している略図である。
【図６】[0023]別の実施形態による、クレーン状態を判定するためのシステムを有するクレーンの斜視図である。
【図７】[0024]或る実施形態による、図６のクレーンのブームへ接続されたセンサ組立体受信器を示している拡大斜視図である。
【図８】[0025]別の実施形態による、クレーン状態を判定するためのシステムを有するクレーンの斜視図である。
【図９】[0026]或る実施形態による、図８のクレーンのブームへ接続されたセンサ組立体受信器を示している拡大斜視図である。
【図１０】[0027]或る実施形態による、ブームが実質的に撓んでいない画像を表現している略図である。
【図１１】[0028]或る実施形態による、ブームが垂直方向に撓んでいる画像を表現している略図である。
【図１２】[0029]或る実施形態による、ブームが垂直方向及び水平方向に撓んでいる画像を表現している略図である。
【図１３】[0030]或る実施形態による、ブームが伸ばされている画像を表現している略図である。
【図１４】[0031]或る実施形態による、ブームが縮められている画像を表現している略図である。
【図１５】[0032]或る実施形態による、ブームが伸ばされていてアンチ・ツー・ブロック構成要素を含んでいる画像を表現している略図である。
【図１６】[0033]或る実施形態による、ブームが縮められていてアンチ・ツー・ブロック構成要素を含んでいる画像を表現している略図である。
【図１７】[0034]或る実施形態による、正しいリービングが提供されている画像を表現している略図である。
【図１８】[0035]或る実施形態による、不正なリービングが提供されている画像を表現している略図である。
【図１９】[0036]或る実施形態による、ブームアタッチメントがブームに隣接して示されている画像を表現している略図である。
【図２０】[0037]或る実施形態による、格子ブームが提供されている画像を表現している略図である。
【図２１】[0038]或る実施形態による、格子ブームが提供されている別の画像を表現している略図である。
【図２２】[0039]或る実施形態による、図２１の格子ブームが提供されている別の画像を表現している略図である。
【図２３】[0040]或る実施形態による、タワークレーンジブが提供されているキャプチャー画像の一例である。
【図２４】[0041]或る実施形態による、クレーン状態を判定するためのシステムを示しているブロック線図である。
【図２５】[0042]或る実施形態による、クレーン状態を判定するための方法を示しているブロック線図である。
【発明を実施するための形態】
【００２０】
[0043]本開示は様々な形態での具現化の余地があるとはいえ、図面には１つ又はそれ以上の実施形態が示されており以下ではそれら実施形態を説明してゆくが、ついては本開示は単に例示と見なされるべきであって本開示を説明され又は描かれている何れかの特定の実施形態に限定しようとするものではないことを理解しておきたい。
【００２１】
[0044]図１は、或る実施形態による、クレーン状態を判定するためのシステム１１０を有するクレーン１０の斜視図である。クレーン１０は、下部構造１２及び下部構造１２上に取り付けられた上部構造１４を含んでいる。上部構造１４は、下部構造１２へ取り付けられている回転台（図示せず）及び回転台と共に下部構造に対して回転するように回転台へ取り付けられているブーム１６を含んでいる。更に、回転台上には操作者運転室１８が取り付けられていてもよい。
【００２２】
[0045]図２４は、クレーン状態を判定するためのシステム１１０の或る例を示しているブロック線図である。システム１１０は、コンピュータ１１２と、コンピュータ１１２へ動作可能に接続されている１つ又はそれ以上のセンサ組立体１１４、４１４、５１４を含んでいてもよい。コンピュータ１１２は、図１に概略的に示されている様に、例えば操作者運転室１８内に取り付けられていてもよいが、それに限定されない。例えば、コンピュータ１１２は、互いに動作可能に及び／又は通信可能に接続された複数の構成要素をクレーン１０上の異なる場所に分散させるか又はクレーン１０から遠隔に配置させるかして備えていてもよいし又はそれらの組合せを備えていてもよい。コンピュータ１１２は、プログラム命令を記憶するように構成されたメモリと、コンピュータ１１２の動作を制御するためにプログラム命令を実行するように構成されたマイクロプロセッサの様なプロセッサと、を含んでいる。メモリは、単一ユニットであってもよいし、又は動作可能に例えばプロセッサへ接続された複数のユニットを含んでいてもよい。同様に、コンピュータ１１２は、互いへ動作可能に接続された複数のコンピュータを含んでいてもよい。
【００２３】
[0046]システム１１０は、更に、例えば、システム１１０の様々な構成要素及び／又は外部構成要素の間の、例えば通信ネットワークを介した通信を許容するように構成された通信デバイス１１６を含んでいてもよい。システム１１０は、更に、視覚的ディスプレイデバイス１１８を含んでいてもよい。更に、入力／出力（Ｉ／Ｏ）デバイス１２０が提供されていて、それを用いて操作者が情報をシステム１１０へ入力し及び／又はシステム１１０が情報を出力するようになっていてもよい。１つの実施形態では、Ｉ／Ｏデバイス１２０は、例えばタッチスクリーンディスプレイとして、視覚的ディスプレイデバイス１１８と一体化されていてもよい。上述のものに限定されるわけではないがシステム１１０の様々な構成要素は、バス１２１上で互いへ動作可能に接続されていてもよい。
【００２４】
[0047]１つ又はそれ以上のセンサ組立体１１４、４１４、５１４は、当該１つ又はそれ以上のセンサ組立体１１４、４１４、５１４によって検出された情報が、コンピュータ１１２によって受信され、記憶されているプログラム命令にしたがいプロセッサによって処理されるように、動作可能にコンピュータ１１２へ接続されている。１つの実施形態では、１つ又はそれ以上のセンサ組立体１１４、４１４、５１４は、ブーム１６の少なくとも一部分に沿って視線を有するように配置されている。
【００２５】
[0048]再び図１及び図２を参照して、１つの実施形態では、センサ組立体１１４は送信器１２２及び受信器１２４を含むことができる。１つの実施形態では、送信器１２２は電磁放射線を発するように構成されている。例えば、送信器１２２は、少なくとも１つのレーザービーム１２６を発するように構成されたレーザーを含んでいてもよい。
【００２６】
[0049]受信器１２４は、その表面に入射するレーザービーム１２６を検出するように構成されていてもよい。１つの実施形態では、受信器１２４は、全体的には板の形をしていて、光ダイオードや光依存性抵抗器などの様な光センサ１２８のアレイを含んでいてもよい。１つの実施形態では、個々の光センサ１２８の位置は、既知であり、例えばメモリに記憶されていてもよい。図３は、或る実施形態による光センサ１２８の配列を示している平面図である。
【００２７】
[0050]１つの実施形態では、送信器１２２と受信器１２４はブーム１６の長さ方向「Ｌ」に沿って離間されていてもよい。１つの実施形態では、送信器１２２及び受信器１２４はブーム１６の横方向の側面に配置されていてもよい。１つの実施形態では、ブーム１６は伸縮式ブームであってもよいが、それに限定されない。１つの実施形態では、送信器１２２はブーム先端２２又はブーム先端２２付近に配置され、受信器１２４はブーム１６の異なる伸縮区分上に配置されていてもよい。
【００２８】
[0051]システム１１０は、センサ組立体１１４から受信されたセンサ情報に基づいて、少なくとも１つのクレーン状態を判定するように構成されている。判定されるクレーン状態は、例えば横方向ブーム撓み（水平方向ブーム撓みとも呼ばれる）であり、及び／又は幾つかの実施形態では垂直方向ブーム撓みであり得る。１つの実施形態では、システム１１０は、その様なクレーン状態が存在しているかどうかを判定することができ、及び／又はクレーン状態の程度の計測値又は推定値を求めることができる。
【００２９】
[0052]例えば、１つの実施形態では、ブーム１６が（横方向と垂直方向の両方向に）撓んでいない状況にあれば、レーザービーム１２６は、受信器１２４の表面上で初期位置に入射し、光センサ１２８により検出されることができる。ブーム１６が水平方向か又は垂直方向のどちらかに撓むにつれ、受信器１２４上のレーザービーム１２６の位置は変化する。例えば、ブーム１６が水平方向に撓むにつれレーザービーム１２６は水平方向に（即ち、横断方向に、又はブームの幅方向に）動くことになる。同様に、ブーム１６が垂直方向に撓むにつれレーザービーム１２６は垂直方向に（即ち、ブームの高さ方向に）動くことになる。幾つかの実施形態では、ブームが水平方向か又は垂直方向のどちらかに閾値限界を超えて撓めば、レーザービーム１２６は、受信器１２４からオフセットされている位置へ、即ち受信器に入射しない位置へ動く。このため、１つの実施形態では、受信器１２４は、その様な閾値撓みに対応する寸法であってもよい。
【００３０】
[0053]したがって、１つの実施形態では、センサ情報は、レーザービーム１２６が受信器に入射しているかどうかを指し示し、また随意的にはどの光センサ１２８がレーザービーム１２６を検出したかを指し示すことができる。メモリに記憶されている光センサ１２８の位置を用いて、システム１１０は受信器１２４上のレーザービーム１２６の位置を判定することができる。システム１１０は、受信器１２４上のレーザービーム１２６の位置の変化に基づいて、横方向ブーム撓みが起こっているかどうかを判定することができる。１つの実施形態では、スケールファクタが、例えば較正を介して既知であり、メモリに記憶されていてもよい。そうすると、システム１１０は、受信器１２４上のレーザービーム１２６の位置の検出された変化とスケールファクタに基づいて、横方向撓みの程度を計算することができる。
【００３１】
[0054]１つの実施形態では、以上に指摘されている様に、ブーム１６の横方向撓みが閾値量を超えている場合、レーザービーム１２６は受信器１２４からオフセットされた位置へ動く。ゆえに、レーザービーム１２６は、その様な状況では受信器１２４の表面上に検出されない。１つの実施形態では、センサ組立体１１４は、レーザービーム１２６が検出されないことを指し示すセンサ情報を提供することができる。別の実施形態では、センサ組立体１１４はセンサ情報を提供しておらず、システム１１０は、センサ情報が例えば既定の時間長さを経ても受信されないことに応えて、横方向ブーム撓みは閾値限界を超えていると判定するようになっていてもよい。
【００３２】
[0055]別の実施形態では、センサ組立体１１４は、レーザービーム１２６が、ブーム１６が撓んでいない状況にある場合には受信器１２４へ入射せず、閾値限界を超えるブーム撓みに呼応して受信器１２４に入射してしまうように構成されていてもよい。
【００３３】
[0056]図４を参照して、１つの実施形態では、複数のレーザービーム１２６が、受信器１２４に入射し、１つ又はそれ以上の光センサ１２８によって検出されることになる。異なるレーザービーム１２６は、例えばブーム１６に沿って異なる長さに配置された送信器１２２から発せられるようになっていてもよい。
【００３４】
[0057]図５は、或る実施形態による、垂直方向に撓んだ状況にあるブーム１６の一例を示している。幾つかの実施形態では、ブーム１６のその様な垂直方向撓みは、レーザービーム１２６を垂直方向に受信器１２４からオフセットさせてしまい、その結果、光検出器１２８によって検出されなくなる可能性がある。
【００３５】
[0058]図６は、クレーン状態を判定するためのシステム１１０を有するクレーン１０の或る実施例であって、センサ組立体１１４が別の実施形態の送信器２２２を含んでいる実施例を示している。送信器２２２は、レーザービーム１２６の方向に実質的に垂直平面内に延びる複数のレーザービーム１２６を発するように構成されている。図７は、複数のレーザービーム１２６が全体的にそこへ向けて方向決めされる受信器１２４の拡大図である。図６及び図７に示されている様に、送信器２２を介し、少なくとも１つのレーザービーム１２６は、横方向撓みが既定閾値内にあるときには垂直方向ブーム撓みの範囲を通して引き続き受信器１２４上へ入射するはずであり、光センサ１２８によって検出可能である。ブーム１６の水平方向撓みが既定範囲を超えているとき、レーザービーム１２６は受信器１２４から水平方向にオフセットされるはずであり、その結果レーザービーム１２６は光センサ１２８によって検出されなくなる。
【００３６】
[0059]図８は、クレーン状態を判定するためのシステム１１０を有するクレーン１０の実施例であって、センサ組立体１１４が別の実施形態の送信器３２２を含んでいる実施例を示している。１つの実施形態によれば、送信器３２２は、レーザービーム１２６を所望に応じて垂直平面又は水平平面内で実質的に受信器１２４に向かって延びる線に沿って回折するように構成された１つ又はそれ以上のプリズム又は回折格子の様な、回折デバイス（図示せず）を含んでいてもよい。つまり、レーザービーム１２６は、受信器１２４に入射する方向に延びるよう、回折デバイスによって回折されるようになっていてもよい。例えば、レーザービーム１２６は、水平方向撓みが既定範囲内にあるときは受信器１２４上へ入射してしまうように実質的に垂直平面内で回折されてもよい。その様な実施形態では、水平方向撓みを計測することができる。１つの実施形態では、レーザービーム１２６は、垂直方向撓みが既定範囲内にあるときは受信器１２４上へ入射するように実質的に水平平面内で回折されてもよい。その様な実施形態では、垂直方向撓みを計測することができる。１つの実施形態では、回折デバイスは、レーザービーム１２６を、実質的に、所望に応じて垂直平面又は水平平面内に延びる複数のレーザービームへ既知のやり方で分割してもよい。
【００３７】
[0060]１つの実施形態では、回折デバイスを調節してレーザービーム１２６を所望に応じて垂直平面及び／又は水平平面内で或る角度範囲を通して方向決めさせることによって走査動作が遂行されてもよい。図９は、複数のレーザービーム１２６が全体としてそこに向けて方向決めされる受信器１２４の拡大図である。システム１１０は、レーザービーム１２６が以上に詳述されるやり方で光検出器１２８によって検出されるかどうかを指し示すセンサ情報に基づいて、水平方向ブーム撓みを判定することができる。水平方向か又は垂直方向か又はそれら両方向の既知の回折並びに受信器１２４上のレーザービーム１２６の位置を用いて、水平方向撓みか又は垂直方向撓みか又はそれら両方向の撓みが判定され得る。１つの実施形態では、回折デバイスは、例えばクレーンの揺らぎ、震え、振動などを理由に、レーザービーム１２６を複数ビームへ分割してもよい。その場合、回折された単数又は複数のレーザービーム１２６は、基準点の線に沿って及び／又は受信器１２４上に位置を定められた光センサ１２８のアレイ上に検出されることになる。
【００３８】
[0061]別の実施形態では、送信器１２２は、走査動作を遂行するようにブーム１６上に回転可能に取り付けられていてもよい。例えば、送信器１２２は、モーターによって、垂直平面内で或る角度範囲を通して回転されるようになっていてもよい。したがって、レーザービーム１２６は、横方向ブーム撓みが既定閾値内にあるときは、走査動作の少なくとも一部分の間は受信器１２４に入射し、光センサ１２８によって検出されるはずである。１つの実施形態では、クレーンの定格容量制限器（ＲＣＬ）が、ブーム１６の垂直方向撓みを予測するべく計算を遂行するようになっていてもよい。送信器１２２は、ブーム１６上に回転可能に取り付けられ、システム１１０及び／又はＲＣＬへ動作可能に接続されていてもよい。水平方向撓みが既定限度内にあるときはレーザービーム１２６が垂直方向ブーム撓みの或る範囲を通して受信器１２４上へ入射したままとなるように、システム１１０又はＲＣＬは、予測された垂直方向ブーム撓みに基づいてモーター（図示せず）を制御して送信器の角度位置を調節させることができる。
【００３９】
[0062]再び図２４を参照して、１つの実施形態では、システム１１０は、例えば光線の様な電磁放射線、を検出するように構成された画像センサを組み入れているデジタルカメラの様な画像キャプチャーデバイスの形態をしているセンサ組立体４１４を含むことができる。画像センサからの情報は、例えばコンピュータ１１２によって、画像キャプチャーデバイスの視野内の画像を作成するために及びキャプチャーするために使用されることができる。適切なカメラは、限定するわけではないが、視野内の画像をキャプチャーするように構成された広角カメラ、ステレオカメラ、電送カメラ、ズームカメラ、ビデオカメラ、及び類似の既知のカメラを含む。
【００４０】
[0063]代替的又は追加的に、システム１１０は、ＬｉＤＡＲ組立体として形成されたセンサ組立体５１４を含んでいてもよい。技術的に理解されている様に、ＬｉＤＡＲ組立体５１４は、測量動作を遂行するように構成されていて、１つ又はそれ以上のレーザービームの様な電磁放射線を、例えばパルスビームとして、発するように構成された送信器と、反射されたレーザービーム（即ち、送信器から発せられた１つ又はそれ以上のレーザービームの反射）を受信するように構成された光センサの様なセンサを含む受信器と、を含んでいる。そして、ＬｉＤＡＲ組立体５１４は、受信された反射レーザービームを指し示すセンサ情報をコンピュータ１１２へ提供するようになっていてもよい。すると、コンピュータ１１２は、ＬｉＤＡＲ組立体５１４のキャプチャーされた視野の３次元画像、即ちキャプチャー画像、を生成することができる。１つの実施形態では、コンピュータ１１２とＬｉＤＡＲ組立体５１４は一体化されていてもよい。
【００４１】
[0064]以上の実施形態では、システム１１０は、センサ組立体１１４、４１４、５１４のうちの何れか１つ、センサ組立体の様々な組合せ（例えば、組立体のうちの何れか２つ）、又はセンサ組立体１１４、４１４、５１４の全て、を含んでいてもよい。１つの実施形態では、同じ型式の複数のセンサ組立体が、同じく提供されることもできる。したがって、幾つかの実施形態では、多数の及び／又は異なるセンサ組立体が、センサ情報をコンピュータ１１２へ提供することができる。
【００４２】
[0065]システム１１０は、当業者によって理解される様に１つ又はそれ以上の既知の適切な対象検出アルゴリズムを使用してキャプチャー画像内の１つ又はそれ以上の対象を検出するように構成されている。その様な既知のアルゴリズムは、例えば、エッジ検出、明度コントラスト、画素密度、ブロブ検出、動き検出、などに関係があるだろう。対象検出アルゴリズムは、特徴ベースであってもよいし又は既知の深層学習技法を組み入れていてもよい。検出される対象は、例えば、クレーン構成要素、クレーンによって吊り上げられている荷重、クレーンに隣接する作業現場障害物、及び水平線を含んでもよい。
【００４３】
[0066]検出され得るクレーン構成要素は、限定するわけではないが、ブーム１６、ブーム１６から垂下されている可撓性部材２４（図１０及び図１１）、可撓性部材２４がその周りに延びるシーブ２６（図１７−図１９）、アンチ・ツー・ブロック（「ＡＴＢ」）検出構成要素２８、３０、３２（図１５及び図１６）、吊上器具３４（図１０及び図１１）、タワークレーンマスト（タワーとも呼ばれる）（図示せず）、タワークレーントロリー７４６（図２１及び図２２）、随行ブームドリー（図示せず）、ジブ延長部の様なブームアタッチメント３８（図１９）、サポートペンダント（図示せず）、及び何れかのクレーン構成要素上のマーカー（図示せず）を含む。
【００４４】
[0067]検出されるブーム１６は、伸縮式ブーム、格子ブーム（図２０−図２２の６１６）、又はタワークレーンジブ（図２３の７１６）の何れであってもよい。加えて、伸縮区分又は格子区分を含むブーム１６の個々の区分が検出されてもよい。更に、格子ブーム又はジブ区分の個々のコードが検出されてもよい。同様にブーム１６上にブーム先端２２が検出されてもよい。更に、ブーム１６上に停止ブロック（マウストラップとも呼ばれる）（図示せず）が検出されてもよい。
【００４５】
[0068]可撓性部材２４は、例えば、ロープ又はケーブルであってもよい。キャプチャー画像の解像度にも依るが、ストランド及び／又はワイヤの様な可撓性部材２４の個々の構成要素も同様に検出されることができる。検出され得るＡＴＢ構成要素は、例えば、ＡＴＢスイッチ２８、ＡＴＢウエイト３０、ＡＴＢフラッグ（図示せず）、及びＡＴＢチェーン３２を含む。検出される吊上器具３４は、例えば、フックブロック又はヘッドエイクボール（headache ball）であってもよい。マーカー（図示せず）は、例えば、特定の色又は被覆、形状、又はパターン、例えば、ＱＲコード（登録商標）、バーコード、又はキャプチャー画像内に検出されキャプチャー画像を分析することによって認識され得る他のパターンであってもよい。概して、ブーム１６又はタワークレーンマストに沿って配置されているか、又はブーム１６又はタワークレーンマストへ接続されているか、又はブーム１６又はタワークレーンマストと一体に形成されている他のクレーン構成要素を含む他の対象も同様に検出され得るものと想定される。
【００４６】
[0069]１つの実施形態では、システム１１０は、キャプチャー画像及び／又は検出された対象を分析して、キャプチャー画像内の検出された対象の１つ又はそれ以上のパラメータを求めるように構成されている。その様なパラメータは、例えば、キャプチャー画像内の検出された対象の位置、一連のキャプチャー画像内での検出された対象の時間に関する位置の変化、キャプチャー画像内の検出された対象と基準点の間の距離を含む１つ又はそれ以上の検出された対象の相対位置、キャプチャー画像内の検出された対象の１つ又はそれ以上の寸法、キャプチャー画像内の検出された対象の向き、キャプチャー画像内の検出された対象の延在方向、及び／又はキャプチャー画像内の検出された対象の大きさ、形状、色、又はパターンを含んでもよい。
【００４７】
[0070]キャプチャー画像内のパラメータは、例えばキャプチャー画像内の画素を計えることによって又はキャプチャー画像の物理的大きさが既知のときに取られる計測値によって、求められてもよい。１つの実施形態では、基準点は、例えば、中心点、垂直方向中線、水平方向中線、キャプチャー画像の境界線、検出される対象の初期位置、既定閾値位置、キャプチャー画像内の別の検出される対象、又は何れかの他の適切な基準点又は基準線であってもよい。基準点は、メモリに記憶されていてもよく、及び／又はキャプチャー画像内に提供されてもよい。基準点の位置は既知であり、同様にメモリに記憶されていてもよい。１つの実施形態では、クレーン状態は、キャプチャー画像内の求められたパラメータに基づいて判定されることができる。
【００４８】
[0071]システム１１０は、更に、例えばキャプチャー画像内の求められたパラメータを分析することによってキャプチャー画像を分析して、検出された対象の及び／又はキャプチャー画像内の１つ又はそれ以上の実際のパラメータ、検出された対象の本体、及び／又はクレーン状態を得るように構成されている。１つの実施形態では、システム１１０は、キャプチャー画像内の検出された対象のパラメータの１つ又はそれ以上を、メモリに記憶されている１つ又はそれ以上の記憶画像内の既知の対応する対象の１つ又はそれ以上の既知の対応するパラメータと比較することを含む画像／パラメータ比較技法によって、キャプチャー画像を分析するようになっていてもよい。１つの実施形態では、１つ又はそれ以上の記憶画像内の対応する対象の、実際のパラメータ、クレーン状態、及び／又はクレーン構成要素本体は既知であり、追加情報として記憶画像と共に記憶されていてもよい。記憶画像は、更に、既知のクレーン構成要素の予想される位置又は位置の変化を含む予想クレーン状態を表現していてもよい。
【００４９】
[0072]例えば、１つの実施形態では、キャプチャー画像内の検出されたクレーン構成要素は、追加情報に基づいて、限定するわけではないが、ブーム先端、可撓性部材、ブーム区分、などの様な、既知のクレーン構成要素に対応しているとして識別され得る。識別は、例えば、キャプチャー画像内の検出された対象の大きさ、形状、又は特定の寸法の様な、検出された対象のパラメータに基づいていてもよい。１つの実施形態では、システム１１０は、検出された対象の数を数えるように構成されており、したがって、検出された対象で特定のクレーン構成要素に対応しているとして識別済みの検出された対象の数を数えることができる。
【００５０】
[0073]１つの実施形態では、キャプチャー画像内の検出された対象の１つ又はそれ以上のパラメータが、記憶画像内の対応する対象の１つ又はそれ以上の対応するパラメータに一致するか又は実質的に一致すると判明したとき、記憶画像と関連付けて記憶されている追加情報がキャプチャー画像内の検出された対象と関連付けられてもよい。実際のパラメータとは、例えば、クレーン作業環境における実際の計測値、実際の寸法、実際の位置、実際の距離、などを指すとしてもよい。このやり方で、実際のパラメータが求められてもよい。
【００５１】
[0074]１つの実施形態では、キャプチャー画像及びその中に検出される１つ又はそれ以上の対象は１つ又はそれ以上の記憶画像に比較されるようになっており、一方を他方の上にスーパーインポーズすることによって、及び検出された対象のパラメータ、例えば大きさ、形状、寸法を、記憶画像内の対応する対象のそれと比較することによって、記憶画像と比較されることができる。
【００５２】
[0075]１つの実施形態では、システム１１０は、キャプチャー画像内の検出された対象のパラメータの１つ又はそれ以上へスケールファクタを適用して実際のパラメータを計算することを含むスケールファクタ技法を使用することによって、キャプチャー画像を分析してもよい。スケールファクタは、例えば、検出される対象の実際のパラメータが既知であって実際のパラメータとキャプチャー画像内のパラメータの間の比を求めることのできる較正プロセスによって、求められてもよい。スケールファクタはメモリに記憶されてもよい。
【００５３】
[0076]１つの実施形態では、較正プロセスで得られた実際のパラメータが、キャプチャー画像からの対応するパラメータと共にメモリ内の表に記憶されてもよい。その様な実施形態では、スケールファクタを適用する段階は、キャプチャー画像内の検出された対象のパラメータを表中でルックアップして検出された対象の実際のパラメータを求める段階を含む。１つの実施形態では、実際のパラメータは、キャプチャー画像内のパラメータとスケールファクタとに基づく計算によって求められてもよい。
【００５４】
[0077]センサ組立体がＬｉＤＡＲ組立体５１４であるシステム１１０の或る実施形態では、システム１１０は、検出された対象の１つ又はそれ以上の実際のパラメータを、ＬｉＤＡＲ組立体５１４から受信されるセンサ情報、例えばＬｉＤＡＲ測量動作において得られるセンサ情報、に基づいて求めてもよい。これは、ここではＬｉＤＡＲ情報技法と呼ばれることもある。例えば、送信器５２２のレーザービーム１２６の発射と受信器５２４での反射レーザービームの受信の間の時間に基づいて、ＬｉＤＡＲ組立体５１４から検出された対象までの距離が求められてもよい。この情報に加え、発せられたレーザービーム１２６の向き又は角度の様な他の既知の情報を用いて、システム１１０は三角関数及び／又は幾何関数に基づく様々な計算を行って、例えば、検出された対象の、基準点（ＬｉＤＡＲ組立体５１４の様な）に対する実際の位置、検出された対象と基準点又は他の検出された対象との間の実際の距離、及び他の関連する適切な計測値を求めることもできる。
【００５５】
[0078]システム１１０は、１つ又はそれ以上の検出された対象に基づいてクレーン状態を判定するように構成されている。１つの実施形態では、システム１１０は、キャプチャー画像内の１つ又はそれ以上の検出された対象及び検出された対象のパラメータの１つ又はそれ以上に基づいてクレーン状態を判定することができる。１つの実施形態では、システム１１０は、キャプチャー画像内の１つ又はそれ以上の検出された対象、キャプチャー画像内の検出された対象のパラメータの１つ又はそれ以上、及びキャプチャー画像の及び／又はキャプチャー画像内の１つ又はそれ以上の検出された対象の分析に基づいて、クレーン状態を判定することができる。
【００５６】
[0079]幾つかの実施形態では、クレーン状態と１つ又はそれ以上の実際のパラメータは同一物であってもよい。幾つかの実施形態では、クレーン状態とキャプチャー画像内の検出される対象の１つ又はそれ以上のパラメータは同一物であってもよく、即ち、クレーン状態は、キャプチャー画像内の検出される対象のパラメータ、例えば検出される対象の、基準点又は他の検出される対象に対する位置又は距離、であってもよいということである。
【００５７】
[0080]ここでの実施形態によれば、クレーン状態は、例えば、垂直方向ブーム撓み、横（又は水平）方向ブーム撓み、ブーム長さ、ブーム区分長さ、ブーム区分の数、ブーム区分の型式、ブームアタッチメント設置状況及び位置（例えば、収納されている、伸ばされている、非設されていない）、ブームアタッチメント長さ、ブームアタッチメントオフセット、ＡＴＢ構成要素の設置、正しい位置決め、状況、相対的位置決めを含むＡＴＢ構成要素状態、クレーンのＡＴＢ状態、掛け回される可撓性部材ラインの数を含むリービング構成、最適リービング構成、保持ピン設置状態、シーブ回転、伸縮ピックポイント、可撓性部材状況、ペンダントロープ長さ、クレーン構成要素の正しい位置決め、吊綱の数、可撓性部材の数、所望又は期待される構築との構築差、トロリー位置、タワークレーンマスト撓み、タワークレーンマスト捩じれ、ブーム捩じれ、荷重揺れ、随行ブーム監視、ジブ索具モード、及び可撓性部材速度を含んでもよい。
【００５８】
[0081]図１０−図２２は、システム１１０によって判定され得るクレーン状態の様々な例を示している。しかしながら、これらの例は網羅的ではなく、図に示されていない又は以下の実施例に特定的に識別されていない他のクレーン状況もまた同様に、ここに説明されているキャプチャー画像内の対象の検出に基づいて判定され得ることが認識されるだろう。
【００５９】
[0082]図１０は、例えばコンピュータ１１２によって、センサ組立体４１４又はセンサ組立体５１４からのセンサ情報に基づいて生成されるキャプチャー画像６００の表現である。つまり、キャプチャー画像６００は、カメラの様な画像キャプチャーデバイスからの光学画像又はＬｉＤＡＲ組立体５１４からのＬｉＤＡＲ画像であり得る。或る実施形態によれば、システム１１０は、キャプチャー画像内に、ブーム先端２２の様な１つ又はそれ以上の対象を検出することができる。１つの実施形態では、システム１１０は、既知の基準位置での水平方向基準線４０及び垂直方向基準線４２をスーパーインポーズしてもよいし又はメモリに記憶していてもよい。
【００６０】
[0083]１つの実施形態では、システム１１０は、キャプチャー画像及び／又は検出された対象を分析して、キャプチャー画像６００内のブーム先端２２の垂直方向位置及び／又はブーム先端２２の、水平方向中線４０の様な基準点からの距離の様な、ブーム先端２２の１つ又はそれ以上のパラメータを求めることができる。システム１１０は、キャプチャー画像６００を、例えば上で求められたキャプチャー画像内のパラメータを、ここに説明されている画像／パラメータ比較、スケールファクタ、及び／又はＬｉＤＡＲ情報技法の何れかを使用して分析してもよい。１つの実施形態では、ブーム先端２２の垂直方向位置の変化又はブーム先端２２の既知の撓んでいない垂直方向位置からの垂直方向距離の変化について実際のパラメータが求められ、こうして垂直方向撓みクレーン状態を判定することができる。
【００６１】
[0084]図１１は、ブーム１６が垂直方向に撓んでいるキャプチャー画像６００の別の表現である。ブーム先端２２の垂直方向撓みは、図１０に関して上述されているやり方で判定されることができる。１つの実施形態では、例えば、垂直方向撓みは、ブーム先端２２の、初期の撓んでいない位置（図１０のＤ１）から撓んだ位置（図１１のＤ２）までの、水平方向中線４０からの垂直方向距離の変化として、求めることができる。
【００６２】
[0085]一部の事例では、キャプチャー画像６００内の検出された対象のパラメータが記憶画像内の対応する対象のパラメータに一致しないこともあるだろう。１つの実施形態では、システム１１０は、対応する対象が検出された対象のパラメータ値に最も近いパラメータ値を有している記憶画像についての追加情報を検索し、対応する実際のパラメータを識別し、検出された対象の実際のパラメータを求める又は推定するべく補間してもよい。
【００６３】
[0086]図１２は、ブーム１６が水平方向（又は横方向）に撓んでいるキャプチャー画像６００の表現である。１つの実施形態では、システム１１０は、キャプチャー画像６００内にブーム先端２２の様な対象を検出し、ブーム先端２２の水平方向位置又は位置の変化及び／又はブーム先端２２の垂直方向基準線４２の様な基準点からの距離の様な、検出された対象の１つ又はそれ以上のパラメータを求めることができる。システム１１０は、キャプチャー画像６００を及び／又はブーム先端２２の様な検出された対象を、ここに説明されている画像／パラメータ比較、スケールファクタ、又はＬｉＤＡＲ情報技法の何れかを使用して分析し、クレーン状態としてのブーム１６の水平方向撓みを判定することができる。垂直方向及び水平方向ブーム撓み並びに以下に説明されている他のクレーン状態も同じキャプチャー画像６００から判定され得ることが理解される。
【００６４】
[0087]図１３は、ブーム１６が伸ばされたキャプチャー画像６００の表現であり、図１４は、ブーム１６が縮められたキャプチャー画像６００の表現である。１つの実施形態では、システム１１０は、キャプチャー画像６００内にブーム先端２２の様な１つ又はそれ以上の対象を検出することができる。システム１１０は、ブーム先端２２の高さ「ｈ」、幅「ｗ」、及び／又は対角線「ｄ」の様、なキャプチャー画像内の検出された対象の１つ又はそれ以上のパラメータを求めてもよい。１つの実施形態では、キャプチャー画像６００内の検出された対象のパラメータは、ブーム１６が伸びるにつれて値が減少し、ブーム１６が縮むにつれ値が増加する。システム１１０は、キャプチャー画像６００を及び／又はブーム先端２２の様な検出された対象を、上記の画像／パラメータ比較、スケールファクタ、又はＬｉＤＡＲ情報技法の何れかを使用し分析して、クレーン状態としてのブーム長さを判定することができる。１つの実施形態では、ブーム長さは、１つ又はそれ以上の求められたパラメータのそれぞれについての上記のやり方で求められてもよい。次いで、ブーム長さは単一のブーム長さ値を現出させるべく平均されてもよい。しかしながら、本開示は、その様な技法に限定されず、幾つかの実施形態では１つのパラメータのみを使用してブーム長さが求められてもよい。
【００６５】
[0088]１つの実施形態では、システム１１０は、キャプチャー画像内のブーム１６の、ブーム区分の端を含めた１つ又はそれ以上のブーム区分を検出するようになっていてもよい。次いで、システム１１０は、ここに説明されている技法の何れかの１つ又はそれ以上を使用してブーム区分の長さを求める。
【００６６】
[0089]図１５は、ブーム１６が伸ばされた位置にあってＡＴＢ状況が監視され得るキャプチャー画像６００の表現であり、図１６は、ブーム１６が縮められた位置にあってＡＴＢ状況が監視され得るキャプチャー画像６００の表現である。システム１１０は、キャプチャー画像６００内に、限定するわけではないがＡＴＢスイッチ２８、ＡＴＢウエイト３０、ＡＴＢフラッグ（図示せず）、及びＡＴＢチェーン３２を含む様々なＡＴＢ構成要素の様な１つ又はそれ以上の対象を検出することができる。システム１１０は、様々なＡＴＢ構成要素２８、３０、３２の位置、基準点に対する位置、大きさ、形状、色、パターン、寸法などの様な、検出された対象の１つ又はそれ以上のパラメータを求めてもよい。
【００６７】
[0090]１つの実施形態では、システム１１０は、先述の画像／パラメータの比較、スケールファクタ、及び／又はＬｉＤＡＲ情報技法の何れかを適宜使用して、キャプチャー画像６００を及び／又は様々な構成要素２８、３０、３２を分析することができる。したがって、１つの実施形態では、システム１１０は、検出された対象を識別することによって、どのＡＴＢ構成要素が設置されているか、ＡＴＢが正しく位置決めされていて正しい寸法（例えば、正しい長さ）であるかどうか、及びＡＴＢ構成要素が望ましくない動作状況にある（例えば絡まっている）かどうかを、クレーン状態として判定することができる。
【００６８】
[0091]１つの実施形態では、システム１１０は、クレーンのＡＴＢ状態を判定してもよい。例えば、システム１１０は、キャプチャー画像６００内に、吊上器具３４及びブーム先端２２の様な１つ又はそれ以上の対象を検出することができる。システム１１０は、検出された吊上器具３４とブーム先端２２の位置、それらの間の距離、又はそれらの間の距離の変化の様な、キャプチャー画像６００内の検出された対象の１つ又はそれ以上のパラメータを求めてもよい。１つの実施形態では、システム１１０は、キャプチャー画像６００内の検出された対象の１つ又はそれ以上のパラメータに基づいて、クレーン状態としてのＡＴＢ状況を判定してもよい。代替的又は追加的に、システム１１０は、先述の画像／パラメータ比較、スケールファクタ、又はＬｉＤＡＲ情報技法の何れかを使用したキャプチャー画像６００の及び／又は検出された対象の分析に基づいて、クレーン状態としてのＡＴＢ状況を判定してもよい。
【００６９】
[0092]図１７は、諸実施形態による、正しいリービングが提供されているキャプチャー画像６００の表現であり、図１８は、不正なリービングが提供されているキャプチャー画像６００の表現である。システム１１０は、キャプチャー画像６００内に、可撓性部材２４（可撓性部材２４の個々のラインを含む）とブーム先端２２及び／又は吊上器具３４の１つ又はそれ以上のシーブ２６の様な、１つ又はそれ以上の対象を検出することができる。システム１１０は、可撓性部材２４とシーブ２６の位置、相対位置、形状、及び／又は大きさの様な、キャプチャー画像６００内の検出された対象の１つ又はそれ以上のパラメータを求めてもよい。
【００７０】
[0093]システム１１０は、先述の画像／パラメータ比較、スケールファクタ、又はＬｉＤＡＲ情報技法の何れかを使用して、キャプチャー画像１１０を及び／又は可撓性部材２４とシーブ２６の様な検出された対象を分析してもよい。システム１１０は、分析から、可撓性部材２４の個々のラインとシーブ２６を識別し、数えることができる。その結果、システム１１０は、クレーン状態としての、掛け回されているライン２４の数を求めることができる。
【００７１】
[0094]システム１１０は、更に、検出されたリービングが最適リービングであるかどうかを判定することもできる。例えば、システム１１０は、可撓性部材２４の所与の数のラインのための最適リービング構成の画像又は実際のパラメータを記憶していてもよい。検出されたラインの数が上記のやり方で求められ、検出されたライン２４とシーブ２６の相対位置を含む、キャプチャー画像６００内の様々なパラメータが上記のやり方で求められたら、システム１１０は、キャプチャー画像６００内の検出されたリービングがメモリに記憶されている最適リービングに対応しているどうかを判定してもよい。その結果、システム１１０は、クレーン状態を、最適リービングを有している又は非最適リービングを有していると判定することができる。同様のやり方で、システム１１０はライン２４が正しく掛け回されているかどうかを判定してもよい。
【００７２】
[0095]システム１１０は、更に、保持ピンの様なリービングの様々な構成要素がキャプチャー画像内に存在しているかどうかを、例えば、検出された対象を以上に詳述されている様に特定の構成要素に対応しているとして識別し、検出された対象（且つ識別された対象）をメモリに記憶されている予測対象の対応リストに比較することによって判定することもできる。代替的又は追加的に、識別される予測対象をその中に有している記憶画像がキャプチャー画像６００に比較されて、予測対象がキャプチャー画像内に存在しているかどうかが判定されてもよい。システム１１０は、更に、検出された対象が正しく位置決めされているかどうかを同様のやり方で判定してもよい。
【００７３】
[0096]システム１１０は、クレーン状態をシーブ２６の状態であるとして、例えばロックされているか又は回っているかで、判定してもよい。例えば、システム１１０は、現在のキャプチャー画像６００を先のキャプチャー画像６００と比較して、時間に関するシーブ２６の位置の変化を判定することによって、検出されたシーブ２６を分析してもよい。１つの実施形態では、シーブ２６は、その上に、キャプチャー画像６００内に検出され得る１つ又はそれ以上のマーカー（図示せず）を有していてもよい。システム１１０は、マーカーの位置がシーブ回転を示唆するやり方で変化したかどうかを判定するようになっていてもよい。代替的又は追加的に、検出されるマーカーは、マーカーと関連付けられる追加情報がメモリに記憶されている既知のマーカーに対応しているとして識別されるようになっていてもよい。追加情報は、回転位置情報を含んでもよい。シーブ２６の異なる回転位置を指し示す追加情報を有する異なるマーカーがシーブ２６上に含まれていてもよい。同様のやり方で、システム１１０は、シーブ２６の回転速度を求め、ひいてはシーブ２６上の可撓性部材２４の速度を求めてもよい。
【００７４】
[0097]図１９は、或る実施形態による、ブーム１６の一端が位置決めされているキャプチャー画像６００の表現である。１つの実施形態では、システム１１０は、ブーム先端２２及びブームアタッチメント３８の様な１つ又はそれ以上の対象を検出することができる。システム１１０は、ブーム先端２２及び／又はブームアタッチメント３８の位置、相対位置、形状、大きさ、寸法、などの様な、キャプチャー画像６００内の検出された対象の１つ又はそれ以上のパラメータを求めてもよい。システム１１０は、キャプチャー画像６００を及び／又はキャプチャー画像６００内の検出された対象を、上記の画像／パラメータ比較、スケールファクタ、又はＬｉＤＡＲ情報技法の何れかを使用して分析してもよい。分析から、システム１１０は、検出された対象を特定のクレーン構成要素に対応しているとして識別することができる。その結果、システム１１０は、キャプチャー画像６００内にブームアタッチメント３８が検出されているかどうかを判定することができる。こうして、システム１１０は、クレーン状態として、ブームアタッチメント３８が設置されているかどうかを判定することができる。加えて、システム１１０は、ブームアタッチメント３８が設置されている場合にブームアッタチメント３８がブーム１６と並んでその収納された位置にある（図１９に図示）か又はブーム先端２２にて伸ばされた位置にあるかどうかを、キャプチャー画像６００の分析に基づいて判定することができる。また更に、システム１１０は、分析に基づいて、ブームアタッチメント３８の長さ及び／又はオフセットを判定してもよい。
【００７５】
[0098]システム１１０は、図１０から図１９に示されているキャプチャー画像６００から同様に他のクレーン状態を判定することもできる。例えば、以上に詳述されている様にシステム１１０はキャプチャー画像６００内に可撓性部材２４を検出することができる。１つの実施形態では、システム１１０は更に可撓性部材２４の個々のストランド又はワイヤを検出するようになっていてもよい。システム１１０は、キャプチャー画像内の検出された可撓性部材２４及び／又はワイヤ又はストランドの、位置、相対位置、形状、及び／又は大きさの様な１つ又はそれ以上のパラメータを求めてもよい。システム１１０は、キャプチャー画像６００及び／又は検出された対象を、上記の技法のうちの何れかを使用して分析し、分析に基づいて、可撓性部材の型式及び可撓性部材２４の（摩耗及び／又は損傷状況の様な）状況を判定することもできる。
【００７６】
[0099]１つの実施形態では、システム１１０は、使用されるピックポイント及びホイストを判定してもよい。例えば、システム１１０は、キャプチャー画像６００内に、ブーム先端２２、補助ブーム（図示せず）、及び可撓性部材２４を検出することができる。システム１１０は、更に、１つ又はそれ以上のシーブ２６を検出することもできるだろう。システム１１０は、検出された対象の位置、相対位置、大きさ、形状、などの様な、検出された対象の１つ又はそれ以上のパラメータを求めてもよい。システム１１０は、キャプチャー画像６００を及び／又は検出された対象を分析して、可撓性部材２４が動いているかどうかを判定してもよい。その様な分析は、可撓性部材２４の位置が時間に関して変化したかどうかを判定するための、先のキャプチャー画像との比較を含んでいてもよい。１つの実施形態では、可撓性部材２４は、キャプチャー画像６００内に検出され得るマーカーを含んでおり、検出されるマーカーの位置が、可撓性部材が動いているかどうかを判定するのに使用されてもよい。次いで、システム１１０は、動いている可撓性部材が主要ブーム（ブーム先端２２）から延びているのか補助ブームから延びているのかを、それぞれの相対位置に基づいて判定してもよい。加えて、可撓性部材２４の運動が検出されたら、システム１１０は、どのホイストが運動を推進しているのかを、外部センサ又は制御システムの情報に基づき、可撓性部材２４の運動中に動作しているホイストを識別することによって判定することができる。
【００７７】
[0100]上記の実施形態では、クレーン状態は、システム１１０によって、伸縮式ブーム、格子ブーム、又はタワークレーンジブの何れかとして実装されているブーム１６について判定されてもよい。加えて、システム１１０は、上記の状態を含むクレーン状態を、格子ブーム又はタワークレーンジブの様な一部の特定のブーム型式に固有である対象の検出に基づいて判定することもできる。
【００７８】
[0101]図２０は、ブーム１６が、例えばクローラークレーン又はデリッククレーンに典型的に設置されている型式の格子ブーム６１６であるキャプチャー画像の表現である。図２１及び図２２は、諸実施形態による、ブーム１６が格子ブーム６１６であるキャプチャー画像６００の他の表現である。図２０−図２２を参照して、システム１１０は、キャプチャー画像６００内に、格子ブーム６１６、格子ブーム区分６４４、格子コード６４６、格子ブーム先端６２２、などの様な、１つ又はそれ以上の対象を検出することができる。格子ブーム６１６のブーム先端６２２は、実質的に、ペンダントロープ（図示せず）による垂直方向撓みに逆らって保持され得る。しかしながら、それでも格子ブーム６１６はその長さに沿った中間部分が垂直方向に撓むこともある。システム１１０は、格子ブーム６１６のその様な垂直方向撓みを、以上に詳述されている画像／パラメータ比較、スケールファクタ、及び／又はＬｉＤＡＲ情報技法の何れかにしたがってキャプチャー画像６００を及び／又は検出された対象を分析することによって判定することができる。
【００７９】
[0102]１つの実施形態では、システム１１０は、１つ又はそれ以上の検出された格子コード６４６のベクトルを求めることができる。ベクトルは、概して、格子コード６４６が延びている向き又は方向に対応している。システム１１０は、ここに説明されている画像／パラメータ比較、スケールファクタ、及び／又はＬｉＤＡＲ情報技法の何れかにしたがってベクトルを分析して、格子ブーム６１６の垂直方向撓みを判定してもよい。１つの実施形態では、システム１１０は、ベクトルの分析に基づいて、格子ブーム６１６の垂直方向撓みを判定することができる。例えば、ベクトルが互いに実質的に平行である場合、システム１１０は、格子ブーム６１６は実質的に撓んでいないと判定することができる。逆に、１つ又はそれ以上のベクトルが互いに対して角度をなしている場合、システム１１０は、格子ブーム６１６は垂直方向に撓んでいると判定することができる。システム１１０は、更に、ベクトル間の角度に基づいて垂直方向撓みを計測することもできるだろう。
【００８０】
[0103]１つの実施形態では、システム１１０は、格子ブーム６１６の垂直方向撓みに関して以上に説明されているやり方と同様のやり方で格子ブーム６１６の横方向撓みを判定してもよい。代替的又は追加的に、システム１１０は、格子ブーム６１６の横方向撓みを、捉画像６００内に検出されるサポートペンダントに基づいて判定してもよい。例えば、図面には示されていないが、センサ組立体４１４及び／又はセンサ組立体５１４は、サポートペンダントが視野内にキャプチャーされるようにして、クレーン１０上に配置されていてもよい。システム１１０は、キャプチャー画像内に１つ又はそれ以上のサポートペンダントを検出し、キャプチャー画像内での検出されたサポートペンダントの、位置、位置の変化、相対位置、形状、大きさ、などの様な１つ又はそれ以上のパラメータを求めてもよい。システム１１０は、キャプチャー画像を及び／又は検出されたサポートペンダントを、上記技法の何れかにしたがって分析してもよい。その結果、システム１１０は、例えば形状の変化又は位置の変化に基づいて、サポートペンダントで張力が減少したかどうかを検出することができる。サポートペンダントの張力の減少は、格子ブーム６１６の横方向撓みと関連付けられる。ゆえに、システム１１０はこのやり方で格子ブーム横方向撓みというクレーン状態を判定することができる。
【００８１】
[0104]システム１１０は、更に、格子ブーム６１６に関係する様々な他のクレーン状態を、同様に、上記の画像／パラメータ比較、スケールファクタ、及び／又はＬｉＤＡＲ情報技法の何れかによる分析に基づいて判定するように構成されることができる。例えば、システム１１０は、検出されたペンダントロープの長さ、追加の吊上用可撓性部材が設置されているかどうか、他のクレーン構成要素及び／又はアタッチメントが設置されているかどうか、適正なクレーン構造、吊網の数、及び適正なクレーン構成要素位置決め、を判定することもできる。
【００８２】
[0105]図２３は、諸実施形態による、ブーム１６がタワークレーンジブ７１６であるキャプチャー画像６００の表現である。１つの実施形態では、タワークレーンジブは、可撓性部材、吊上器具、及び荷重を水平方向に移動させるためにトロリーが沿って動くことのできる、実質的に水平方向に延びるジブであってもよい。タワークレーンジブは、垂直平面内の角度（即ち吊上角度）の或る範囲を通して変位可能であるラフィングジブを指すとしてもよい。１つの実施形態では、センサ組立体は、ジブ７１６の下面の長さに沿って視線を有するように配置されていてもよい。システム１１０は、キャプチャー画像６００内に、ジブ７１６、ジブ７１６に沿って動くことのできるトロリー７４６、及びジブ先端７２２の様な、１つ又はそれ以上の対象を検出することができる。システム１１０は、検出されたトロリー７４６の、大きさ、位置、位置の変化、及び／又１つ又はそれ以上の寸法の様な、検出された対象の１つ又はそれ以上のパラメータを求めてもよい。システム１１０は、キャプチャー画像６００を及び／又はトロリー７４６の様な１つ又はそれ以上の検出された対象を、ここに説明されている諸技法の何れかにしたがって分析してもよい。こうして、システム１１０はクレーン状態としてのトロリー７４６の位置を判定することができる。
【００８３】
[0106]システム１１０は、上記実施形態で垂直方向撓みが判定されるのと同じやり方でタワークレーンジブ７１６の垂直方向撓みを判定することができる。代替的又は追加的に、システム１１０は、キャプチャー画像６００内に水平線（図示せず）を検出し、キャプチャー画像６００内での、位置、位置の変化、及び／又はジブ先端７２２の様な基準点からの距離を判定してもよい。キャプチャー画像６００及び／又は検出された水平線（及び随意的にはジブ先端７２２）は、上記技法の何れかにしたがって分析されてもよい。システム１１０は分析に基づいてクレーン状態としてのジブ７１６の垂直方向撓みを判定することができる。
【００８４】
[0107]システム１１０は、更に、実質的に上記実施形態で説明されているやり方でタワークレーンのＡＴＢ状態を判定してもよい。しかしながら、タワークレーン環境では、システム１１０は、キャプチャー画像内に、ブーム先端２２又はブーム先端２２のシーブではなくトロリー７４６又はトロリー７４６上のシーブを検出することになる、ということが理解される。
【００８５】
[0108]１つの実施形態では、センサ組立体４１４、５１４は、タワークレーンでは垂直方向に伸びるマスト（図示せず）として実装されている下部構造の長さに沿って視線を有するようにタワークレーン上に配置されることができる。技術的に理解されている様に、タワークレーンジブ４１６はマスト上に支持されていてマストから伸びる。システム１１０は、タワークレーンのタワーマスト撓みを判定することができる。１つの実施形態では、システム１１０は、キャプチャー画像内にマスト又はマスト端の様な１つ又はそれ以上の対象を検出し、キャプチャー画像内の検出された対象の、位置、位置の変化、基準点からの距離、大きさ、形状、向き、などの様な１つ又はそれ以上のパラメータを求めてもよい。システム１１０は、キャプチャー画像を及び／又はマスト端の様な検出された対象を、上記技法の何れかにしたがって分析してもよい。このやり方で、システム１１０は、クレーン状態としての、マスト撓み、マスト高さ、及び／又はマスト捩じれを判定することができる。１つの実施形態では、捩じれは、マストの変位、例えばマストの長手方向軸周りの回転変位、を指すとしてもよい。同様の技法を使用して、伸縮式ブーム、格子ブーム、及び／又はタワークレーンブーム即ちタワークレーンジブ、を含むブームの捩じれも同じく判定されることができる。
【００８６】
[0109]代替的又は追加的に、システム１１０は、キャプチャー画像６００内に水平線を検出し、キャプチャー画像内の水平線の、位置、位置の変化、及び／又は基準点からの距離の様な１つ又はそれ以上のパラメータを求めてもよい。システム１１０は、キャプチャー画像を及び／又は水平線の様な検出された対象を、上記技法の何れかにしたがって分析し、分析に基づいて、クレーン状態としてのマスト撓みを判定することができる。
【００８７】
[0110]更に、幾つかの実施形態では、システム１１０は、前／後方向の撓みと左右方向の撓みの両方を判定することができる。１つの実施形態では、ジブ７１６を含むタワークレーンの上部構造１４は、水平線を検出するために３６０度旋回することができる。３６０度旋回動作で得られる画像は、将来のクレーン状態を例えば画像／パラメータ比較技法を使用して判定するための基礎として記憶され、参照されることができる。キャプチャー画像と記憶画像での水平線のレベル（即ち位置）の差が、水平線の予測位置をキャプチャー画像内の水平線の位置と比較することによって分類されてもよい。センサ組立体４１４、５１４は、クレーンに関して水平に取り付けられるものとする。
【００８８】
[0111]システム１１０が、キャプチャー画像内の検出された水平線の位置は、セットアップされ及び較正されたものとしての水平線の位置と一致しないと判定した場合、システム１１０は、３６０度旋回動作中に幾らかの量の撓みがあったと判断することができる。次いで、位置のこの差が補償され、真の水平レベルが設定され記憶されることになる。続いて、システム１１０は、タワーの絶対撓みを求めてもよい。３６０度旋回動作は、或る特定の環境に限定されるというものではないが、周囲の建物がセンサ組立体の視野内にあって、それが幾つかの旋回角度にて水平線への視線を遮る可能性があるときに水平線の位置を求めるには適している。タワークレーンの様々な撓みは、吊上動作又は風や日光の様な環境的原因に起因することもある、ということを認識しておきたい。
【００８９】
[0112]伸縮式ブーム、格子ブーム、又はタワークレーンジブの何れかとして実装されているブーム１６を有するクレーン１０を含むクレーン１０全般に関して、システム１１０は、更に、吊上器具３４の高さ、吊上器具３４の水平方向位置、及び吊上器具３４の揺れ状況を判定してもよい。例えば、システム１１０は、キャプチャー画像６００内に吊上器具３４及びブーム先端２２の様な１つ又はそれ以上の対象を検出することができる。システム１１０は、キャプチャー画像６００内の検出された対象の、位置、位置の変化、及び／又は吊上器具３４とブーム先端２２の間の距離を含む基準点からの距離の様な１つ又はそれ以上のパラメータを求めてもよい。キャプチャー画像６００及び／又は検出された対象は、上記技法の何れかにしたがって分析されてもよい。
【００９０】
[0113]したがって、ブーム先端高さが従来のクレーン監視方法を介して既知であるなら、吊上器具３４の高さを、例えば検出された吊上器具３４とブーム先端２２の間の距離に基づいて求めることができる。１つの実施形態では、上述の、ブーム１６の求められた垂直方向撓みは、従来式に求められたブーム先端高さを調節するのに使用されてもよい。加えて、吊上器具３４の水平方向位置が、例えば検出された吊上器具３４と垂直方向基準線４２の間の水平方向距離に基づいて求められてもよい。垂直方向基準線４２は、１つの実施形態では、ブーム１６の水平方向位置を表現している。
【００９１】
[0114]更に、システム１１０は、吊上器具３４の水平方向位置及び／又は吊上器具の水平方向位置の変化に基づいて揺れ状況を判定してもよい。１つの実施形態では、システム１１０は、１つ又はそれ以上のクレーン構成要素へ動作可能に接続されていて、揺れ状況を判定したことに応えて、１つ又はそれ以上のクレーン構成要素を制御して、揺れ状況がそれ以上検出されなくなるまで補正運動を取らせるようにするか、又は揺れ状況を生じさせ得るクレーン運動を実質的に阻止するようにしてもよい。
【００９２】
[0115]システム１１０は、例えばクレーン１０の輸送中の随行ブーム状態を判定するように構成されることができる。例えば、システム１１０は、ブーム１６、ブーム先端２２、及び／又は、存在する場合には随行ブームドリー（図示せず）の様な、１つ又はそれ以上の対象を検出することができる。システム１１０は、キャプチャー画像を及び／又は検出された対象を分析し、随行ブームドリーがキャプチャー画像内に存在しているかどうかをパラメータ及び上述の技法に基づいて判定してもよい。例えば、システム１１０は、キャプチャー画像６００内の検出された対象を、検出された対象の大きさ又は形状に基づいて随行ブームドリーに対応しているとして識別することができる。１つの実施形態では、システム１１０は、メモリに記憶されている随行ブームドリーの既知のパラメータに対応するパラメータを有しているキャプチャー画像内の対象を探すことによって、キャプチャー画像６００を分析してもよい。
【００９３】
[0116]１つの実施形態では、システム１１０は、キャプチャー画像内のブーム１６と随行ブームドリーの相対位置を求め、キャプチャー画像６００及び／又は検出された対象の分析に基づいて、ブーム１６と随行ブームドリーが輸送のために適正に位置決めされているかどうかを判定してもよい。１つの実施形態では、操作者が随行ブームを監視することができるように、随行ブーム状況がキャプチャーされている単数又は複数のキャプチャー画像又は映像がディスプレイデバイス１１８上に映し出されてもよい。
【００９４】
[0117]システム１１０は、更に、クレーン１０のジブ索具モードを判定してもよい。例えば、システム１１０は、キャプチャー画像６００内にブーム１６上の停止ブロック（マウストラップとも呼ばれる、図示せず）を検出し、キャプチャー画像内で、検出された停止ブロックの、位置、位置の変化、相対位置、大きさ、又は形状の様な１つ又はそれ以上のパラメータを求めてもよい。システム１１０は、キャプチャー画像６００を及び／又は検出された停止ブロックを分析し、例えばブーム１６に沿った停止ブロックの位置を求めてもよい。停止ブロックの位置とジブ索具モードの間の関係は既知であり、メモリに記憶されていてもよい。その結果、システム１１０はジブ索具モードを判定することができる。
【００９５】
[0118]以上に論じられている様に、システム１１０によってキャプチャー画像内に検出され得る対象の１つは、クレーン構成要素上に配置されているか又は付着されているマーカー（図示せず）である。１つの実施形態では、システム１１０は、マーカーを、上記の画像／パラメータ比較、スケールファクタ、及び／又はＬｉＤＡＲ情報技法の何れかにしたがって分析してもよい。例えば、システム１１０は、検出されたマーカーを、メモリに記憶されている１つ又はそれ以上のマーカーと比較し、記憶されているマーカーが検出されたマーカーに一致すると判明したときには記憶されているマーカーに関連付けられている追加情報を検索するようになっていてもよい。追加情報は、例えば、特定のクレーン構成要素の本体、構成要素の仕様、などを含んでもよい。こうして、１つの実施形態では、キャプチャー画像内のクレーン構成要素が、キャプチャー画像内の当該クレーン構成要素上に検出されたマーカーの分析に基づいて、特定のクレーン構成要素であるとして識別されることができる。
【００９６】
[0119]以上の実施形態では、キャプチャー画像６００はメモリに記憶され、上述の対象を検出する段階、パラメータを求める段階、分析する段階、及び判定する段階の諸段階は、システム１１０によってメモリ内で行われてもよい。しかしながら、幾つかの実施形態では、システム１１０は、キャプチャー画像が表示されるディスプレイデバイス１１８を含んでいるか又はディスプレイデバイス１１８へ動作可能に接続されていてもよい。
【００９７】
[0120]１つの実施形態では、システム１１０は、キャプチャー画像内に１つ又はそれ以上のブーム区分を検出し、検出されたブーム区分の数を数えることができる。１つの実施形態では、システム１１０は、検出されたブーム区分が既知のブーム区分に対応しているとして識別し、更にブーム区分の型式を識別してもよい。システム１１０は、これらの動作を、ここに説明されている技法のうちの何れかを適宜使用して遂行することができる。
【００９８】
[0121]幾つかの実施形態では、判定されたクレーン状態は、例えば、定格容量制限器（ＲＣＬ）を含んでいるクレーン制御システムへ出力されてもよい。例えば、システム１１０によって求められた実際のパラメータが、ＲＣＬを含んでいるクレーン制御システムへ提供され、クレーンの運動又は機能が、少なくとも一部には実際のパラメータに基づいて、制御される（運動を制限することを含む）ようになっていてもよい。つまり、クレーン制御システムは、クレーン構成要素の１つ又はそれ以上へ動作可能に接続されていて、クレーン構成要素の動作をクレーン状態に基づいて制御することができるわけである。例えば、望ましくないクレーン状態を一層悪くするか又は維持することになってしまう運動を防止するべく１つ又はそれ以上のクレーン構成要素が制御されることになる。追加的に、クレーン構成要素は、望ましくないクレーン状態から脱するように制御されてもよい。また、クレーン構成要素は、望ましくないクレーン状態へ陥る運動を防止するように制御されてもよい。１つの実施形態では、クレーン制御システムは、クレーン状態を、例えばディスプレイデバイス１１８上に又は何れかの他の視覚的、聴覚的、及び／又は触覚的指示器上に出力してもよい。１つの実施形態では、判定されたクレーン状態に基づいて、注意喚起又は警報が出力されてもよい。１つの実施形態では、クレーン制御システムとシステム１１０は単一システムとして一体化されていてもよい。
【００９９】
[0122]図２５は、或る実施形態による、クレーン状態を判定する方法Ｓ８００を示すブロック線図である。方法は、概して、Ｓ８１０にて、ブーム又はマストの様な細長いクレーン構成要素の長さに沿った画像をキャプチャーする段階を含んでいる。Ｓ８２０にて、方法は、キャプチャー画像内の１つ又はそれ以上の対象を検出する段階を含んでいる。Ｓ８３０にて、方法は、キャプチャー画像を及び／又は１つ又はそれ以上の検出された対象を分析して、キャプチャー画像内の１つ又はそれ以上のパラメータを求める段階を含んでいる。１つの実施形態ではＳ９１０にて示されている様に、方法は、キャプチャー画像内の１つ又はそれ以上の求められたパラメータに基づいてクレーン状態を判定する段階を含んでいてもよい。１つの実施形態では、方法は、Ｓ８４０にて、キャプチャー画像を及び／又はキャプチャー画像内の１つ又はそれ以上の検出された対象を、キャプチャー画像内の求められたパラメータに基づいて分析する段階を含んでいる。１つの実施形態では、方法は、Ｓ９２０にて、キャプチャー画像内のパラメータの分析に基づいてクレーン状態を判定する。１つの実施形態では、Ｓ８５０にて、方法は、キャプチャー画像内で求められたパラメータに及び／又は検出された対象のパラメータに対応している実際のパラメータか又は検出された対象の本体のうちの１つ又はそれ以上を判定する段階を含んでおり、Ｓ９３０にて、求められたパラメータの分析に基づいて、例えば実際のパラメータ又は検出された対象の本体に基づいて、クレーン状態を判定する段階を含んでいる。１つの実施形態では、先に判定されたクレーン状態に基づいて、追加のクレーン状態が判定されてもよい。方法Ｓ８００は、システム１１０によって、例えばプロセッサに係るメモリに記憶されたプログラム命令の実行に応えて、遂行されてもよい。
【０１００】
[0123]幾つかの実施形態では、システム１１０は、上述のセンサ組立体１１４、４１４、５１４の１つを含んでいて、クレーン状態を、一部にはセンサ組立体からの情報に基づいて判定することができる。クレーン状態を判定するうえで、システム１１０は、センサ組立体４１４、５１４をもう１つか又はそれ以上含み、他のセンサ組立体１１４、４１４、５１４の何れかを、又は当業者には自明の何れかの既知のセンサ組立体を、補完する、バックアップする、又は検証するようにしてもよい。
【０１０１】
[0124]以上の実施形態では、１つの実施形態からの様々な特徴は、適宜、異なる実施形態に実施されてもよく、異なる実施形態の他の特徴と共に使用されてもよく、又は異なる実施形態の他の特徴と置き換えられてもよい。例えば、１つの実施形態での検出される様々なパラメータ又は対象は、明示的にしかるべく記述されていなくても他の実施形態で判定され又は検出されることもできるだろう。加えて、幾つかの実施形態では、上述の諸段階の幾つかは組み合わされてもよく又は随意的には省略されてもよい。例えば、キャプチャー画像内の１つ又はそれ以上のパラメータを求める段階はキャプチャー画像を分析する段階と組み合わされてもよい。
【０１０２】
[0125]ここに参照される全ての特許は、本開示の本文中に明確に示されていようがいまいが、これによりここにその全体を参考文献として援用する。
【０１０３】
[0126]本開示では、原文の冠詞「ａ」又は「ａｎ」の対訳である「一」、「或る」という語は単数形及び複数形のどちらも含むものと捉えられたい。逆に、複数項目への何らかの言及は、該当する場合には、単数形を含むものとする。
【０１０４】
[0127]上記からは、本発明の新規性のある概念の真髄及び範囲から逸脱することなく数多くの修正型及び変形型が達成され得るということが観取されるであろう。例示されている特定の実施形態に関しては何らの限定も意図されず、また推察されてもならない、ということを理解されたい。本開示は、付随の特許請求の範囲によって、当該特許請求の範囲の範囲内に入る全てのその様な修正型を網羅することが意図されている。
【符号の説明】
【０１０５】
１０  クレーン
１２  下部構造
１４  上部構造
１６  ブーム
１８  操作者運転室
２２  ブーム先端
２４  可撓性部材、ライン
２６  シーブ
２８  ＡＴＢスイッチ
３０  ＡＴＢウエイト
３２  ＡＴＢチェーン
３４  吊上器具
３８  ブームアタッチメント
４０  水平方向基準線
４２  垂直方向基準線
１１０  クレーン状態を判定するためのシステム
１１２  コンピュータ
１１４  センサ組立体
１１６  通信デバイス
１１８  視覚的ディスプレイデバイス
１２０  Ｉ／Ｏデバイス
１２１  バス
１２２  送信器
１２４  受信器
１２６  レーザービーム
１２８  光センサ
２２２  送信器
３２２  送信器
４１４  センサ組立体
５１４  センサ組立体、ＬｉＤＡＲ組立体
５２２  送信器
５２４  受信器
６００  キャプチャー画像
６１６  格子ブーム
６２２  格子ブーム先端
６４４  格子ブーム区分
６４６  格子コード
７１６  タワークレーンジブ
７２２  ジブ先端
７４６  タワークレーントロリー
Ｌ  ブームの長さ方向
Ｄ１  初期の撓んでいない位置
Ｄ２  撓んだ位置
ｈ  ブーム先端の高さ
ｗ  ブーム先端の幅
ｄ  ブーム先端の対角線
Ｓ８００  クレーン状態を判定する方法
Ｓ８１０  クレーン構成要素の長さに沿った画像をキャプチャーする
Ｓ８２０  キャプチャー画像内の１つ又はそれ以上の対象を検出する
Ｓ８３０  キャプチャー画像を及び／又は１つ又はそれ以上の検出された対象を分析して、キャプチャー画像内の１つ又はそれ以上のパラメータを求める
Ｓ８４０  キャプチャー画像を及び／又はキャプチャー画像内の１つ又はそれ以上の検出された対象を、キャプチャー画像内の求められたパラメータに基づいて分析する
Ｓ８５０  キャプチャー画像内で求められたパラメータに及び／又は検出された対象のパラメータに対応している実際のパラメータか又は検出された対象の本体のうちの１つ又はそれ以上を判定する
Ｓ９１０  キャプチャー画像内の１つ又はそれ以上の求められたパラメータに基づいてクレーン状態を判定する
Ｓ９２０  キャプチャー画像内のパラメータの分析に基づいてクレーン状態を判定する
Ｓ９３０  求められたパラメータの分析に基づいて、例えば実際のパラメータ又は検出された対象の本体に基づいて、クレーン状態を判定する
【図１】
2020097487.tif 000003
【図２】
2020097487.tif 000004
【図３】
2020097487.tif 000005
【図４】
2020097487.tif 000006
【図５】
2020097487.tif 000007
【図６】
2020097487.tif 000008
【図７】
2020097487.tif 000009
【図８】
2020097487.tif 000010
【図９】
2020097487.tif 000011
【図１０】
2020097487.tif 000012
【図１１】
2020097487.tif 000013
【図１２】
2020097487.tif 000014
【図１３】
2020097487.tif 000015
【図１４】
2020097487.tif 000016
【図１５】
2020097487.tif 000017
【図１６】
2020097487.tif 000018
【図１７】
2020097487.tif 000019
【図１８】
2020097487.tif 000020
【図１９】
2020097487.tif 000021
【図２０】
2020097487.tif 000022
【図２１】
2020097487.tif 000023
【図２２】
2020097487.tif 000024
【図２３】
2020097487.tif 000025
【図２４】
2020097487.tif 000026
【図２５】
2020097487.tif 000027
【外国語明細書】
2020097487000001.pdf